(57)【要約】【課題】点滴液の液面が降下しているときに、点滴液の流出を防止可能な点滴装置を提供する。【解決手段】上方から点滴液が供給され、供給された点滴液が外部へ流出する流出口１１１が下方に形成されている点滴筒１０と、上フロート２１、下フロート２２、および閉止部品２３を有し、流出口１１１の上方に位置するように点滴筒１０内に収容され、上フロート２１および下フロート２２による浮力によって点滴液の上面に浮動可能な浮動閉止装置２０とを備える。閉止部品２３は、下フロート２２の下方に接続され、下端部に閉止薄膜２３１が形成されている。【選択図】  図４
0003163771.tif 000002
【実用新案登録請求の範囲】
【請求項１】
上方から点滴液が供給され、供給された点滴液が外部へ流出する流出口（１１１）が下方に形成されている点滴筒（１０）と、
上フロート（２１）、下フロート（２２）、および閉止部品（２３）を有し、前記流出口（１１１）の上方に位置するように前記点滴筒（１０）内に収容され、前記上フロート（２１）および前記下フロート（２２）による浮力により点滴液の上面に浮動可能な浮動閉止装置（２０）と、
を備え、
前記上フロート（２１）は、中空形状の上フロート体（２１１）、および当該上フロート体（２１１）の内部から下方へ延びる挿接部品（２１２）により形成され、
前記下フロート（２２）は、中空形状の下フロート体（２２１）、および当該下フロート体（２２１）の内部に設けられて上方から前記挿接部品（２１２）が挿入されることにより前記上フロート（２１）を固定する接続部品（２２２）により形成され、
前記閉止部品（２３）は、前記接続部品（２２２）の下方に接続され、下端部に閉止薄膜（２３１）が形成され、
前記浮動閉止装置（２０）は、点滴液の液面が降下しているとき、前記閉止薄膜（２３１）により前記点滴筒（１０）の前記流出口（１１１）を封鎖し、前記点滴筒（１０）からの点滴液の流出を阻止可能であることを特徴とする点滴装置。
【請求項２】
前記接続部品（２２２）は、底部に開孔（２２３）が設けられるとともに、頂部に挿孔（２２４）が設けられ、
前記閉止部品（２３）は頂部に接合凸部（２３２）が設けられ、当該接合凸部（２３２）を前記開孔（２２３）に挿入することにより前記閉止部品（２３）が前記接続部品（２２２）の底部に接続され、
前記上フロート（２１）は、前記挿接部品（２１２）を前記接続部品（２２２）の前記挿孔（２２４）に挿入することにより固定され、
前記下フロート（２２）は、前記接続部品（２２２）の外周により環状槽（２２５）を形成することを特徴とする請求項１に記載の点滴装置。
【請求項３】
前記上フロート体（２１１）および前記下フロート体（２２１）は硬質の槽体であり、前記閉止部品（２３）の閉止薄膜（２３１）は軟らかい膜片であることを特徴とする請求項１に記載の点滴装置。
【請求項４】
前記閉止部品（２３）は、シリコンにより形成されることを特徴とする請求項１に記載の点滴装置。
【考案の詳細な説明】
【技術分野】
【０００１】
本考案は、点滴装置に関する。
【背景技術】
【０００２】
現有の点滴注射器は、注射液が完全に消費される前に残留の空気を人体に入らせる虞がる。このような問題を解決するため、特許文献１に開示される点滴のピストンによれば、点滴のピストンは、全体が点滴瓶内の液体に放置され、頂部が点滴のピストンを点滴液の上部に浮動させる中空槽となっている。注射液が完全に消費される前に、点滴のピストンは、液面において、点滴瓶口で浮き下がり、点滴のピストンの形状により瓶壁を閉止する。しかしながら、点滴のピストンは、相対的に点滴瓶の内径より小さいため、点滴瓶は、力を受けて揺れる状況がある。このような状況では、点滴のピストンは、点滴瓶内に任意で浮動して、効果的に瓶壁を密封できないため、閉止作用を達することができない。
【０００３】
上述した現有の製品がいろいろな欠点を有することに鑑み、本考案は、積極的に実際の試験をしてから、全体の構成を改良した。
【先行技術文献】
【特許文献】
【０００４】
【特許文献１】中国特許公告番号第ＣＮ２６０１０９７号明細書
【考案の概要】
【考案が解決しようとする課題】
【０００５】
本考案の主な目的は、点滴液の液面が降下しているときに点滴液の流出を防止可能な安全な点滴装置を提供することにある。
【課題を解決するための手段】
【０００６】
本考案の点滴装置は、上方から点滴液が供給され、供給された点滴液が外部へ流出する流出口が下方に形成されている点滴筒と、上フロート、下フロート、および閉止部品を有し、流出口の上方に位置するように点滴筒内に収容され、上フロートおよび下フロートによる浮力により点滴液の上面に浮動可能な浮動閉止装置と、を備える。上フロートは、中空形状の上フロート体、および当該上フロート体の内部から下方へ延びる挿接部品により形成される。下フロートは、中空形状の下フロート体、および当該下フロート体の内部に設けられて上方から挿接部品が挿入されることにより上フロートを固定する接続部品により形成される。閉止部品は、接続部品の下方に接続され、下端部に閉止薄膜が形成される。このような構成により、浮動閉止装置は、点滴液の液面が降下しているとき、前記閉止薄膜により前記点滴筒の前記流出口を封鎖し、点滴筒からの点滴液の流出を阻止可能である。
【０００７】
接続部品には、底部に開孔が設けられるとともに、頂部に挿孔が設けられている。
閉止部品には、頂部に接合凸部が設けられ、当該接合凸部を開孔に挿入することにより閉止部品が接続部品の底部に接続される。
上フロートは、挿接部品を接続部品の挿孔に挿入することにより固定され、下フロートは、接続部品の外周により環状槽を形成する。
【０００８】
上フロート体と下フロート体とは、硬質の槽体であり、閉止部品の閉止薄膜は、軟らかい膜片である。
また、閉止部品は、シリコンで形成されている。
【０００９】
このように本考案は、点滴装置の改良に関し、特に、点滴輸液器に適用できて、効果的に点滴液及び空気を防止できて、そして血液の逆流を防止する制御装置を改善して、更に、当該点滴装置が揺れるか傾くかどうかに関わらず、全然影響を受けることをもたらさないので、確かに滴液を防止する効果があることに関する。本考案の点滴装置は、浮動閉止装置と点滴筒を含み、当該浮動閉止装置は、点滴筒に挿置して、点滴筒の流出口の上方部に浮動している。
【００１０】
（考案の効果）
本考案によると、点滴装置が揺れたり傾いたりするかどうかに関わらず、効果的に点滴液及び空気を阻止でき、点滴液の流出を閉止することができる。さらに、溢れて液体に沈めることを防止するための出液孔を設けないため、新しい点滴瓶に交換してから、浮動閉止装置は、再び点滴液の上面に浮動することができる。
このように、自動的な効果により点滴液及び空気を防止できる。また、本考案が揺れるか傾くかどうかに関わらず閉止作用を確保することが可能で、現有製品の実用上の欠点を改善して、大幅に実用効果を増進する。
【図面の簡単な説明】
【００１１】
【図１】本考案の第１実施例における浮動閉止装置２０を示す分解斜視図。
【図２】図１の断面図。
【図３】本考案の第１実施例を示す斜視図。
【図４】図３の断面図。
【図５】本考案の第１実施例を使用し注射する際の配置を示す説明図。
【図６】図５の断面図。
【図７】本考案の第１実施例における浮動閉止装置２０が上へ浮動する状態を説明する断面図。
【図８】本考案の第１実施例における浮動閉止装置２０が下へ浮動する状態を説明する断面図。
【図９】本考案の第１実施例の他の使用状態を示す断面図。
【図１０】本考案の第２実施例の浮動閉止装置２０Ａを示す分解斜視図。
【図１１】図１０の断面図。
【考案を実施するための形態】
【００１２】
以下、本考案の実施例を図面に基づいて説明する。
（第１実施例）
図１は、浮動閉止装置２０の分解斜視図である。図１に示すように、浮動閉止装置２０は、上フロート２１と、下フロート２２と、閉止部品２３とで構成される。
図２に示すように、上フロート２１は、頂端が封閉され中空に形成された上フロート体２１１を有している。上フロート体２１１は、硬質の材料で製造されている。挿接部品２１２は、上フロート２１の内部中央から下へ突出するように設けられている。
【００１３】
浮動閉止装置２０の下フロート２２は、底端が封閉され中空に形成された下フロート体２２１を有している。下フロート体２２１の内部には接続部品２２２が設けられている。下フロート２２は、接続部品２２２の外周で環状槽２２５を形成している。下フロート２２の上方には環状開口２２５０が形成されている。
【００１４】
接続部品２２２は、底端に開孔２２３が設けられ、頂端に挿孔２２４が設けられている。上フロート２１は、挿接部品２１２が接続部品２２２の頂端の挿孔２２４に挿入されることにより固定される。
【００１５】
図２に示すように、閉止部品２３は、鐘状の蓋体である。閉止部品２３は、上端に接合凸部２３２が形成され、下端に閉止薄膜２３１が形成されている。接合凸部２３２は、接続部品２２２の下方の開孔２２３に挿入されている。これにより、閉止部品２３は接続部品２２２の底部に接続される。閉止部品２３は、例えばシリコンのような軟質の材料で形成されている。
【００１６】
図３、４は、それぞれ、浮動閉止装置２０の使用状態を示している。図３に示すように、点滴筒１０の上方は、軟管を通って尖状接合部３０に接続している。尖状接合部３０は、図５に示すように点滴瓶４０の底部に挿入され、点滴液が導入される。
【００１７】
図４に示すように、点滴筒１０は、筒体１１と、上蓋１２と、気泡防止部品１３を含む。筒体１１は、頂端に上蓋１２が被せられ、底端に流出口１１１が設けられている。また、筒体１１には、気泡防止部品１３を組み立てるため、流出口１１１から延びるようにして導接部１１２が設けられている。
【００１８】
気泡防止部品１３は、導接部１１２の外部に装着される。気泡防止部品１３は、出液チューブ５０の流出口５０１に接続される。図６に示すように、点滴液Ｌは、流出口１１１を通って出液チューブ５０に注入され、出液チューブ５０の末端に接続された注射針６０から流出する。図５に示すように、出液チューブ５０と注射針６０の間にある適当な位置に流量制御装置７０が設けられている。
【００１９】
出液チューブ５０の管内部に装着されている気泡防止部品１３は、その管径が導接部１１２より小さい。これにより、導接部１１２を通過している点滴液が気泡を有する場合、点滴液中の気泡は、その管径がより小さい気泡防止部品１３の処で押し出されるため、出液チューブ５０には気泡を有さない点滴液が流出する。結果として、気泡中の空気が血管に入ることを防止できる。
【００２０】
図６、７に示すように、点滴液Ｌが点滴筒１０に流入する場合、浮動閉止装置２０は、上フロート２１と下フロート２２とが形成した浮力を利用して、点滴液Ｌの液体面に浮動する。
【００２１】
図８は、点滴液Ｌが完全に消費される前の状態における浮動閉止装置２０を示す断面図である。浮動閉止装置２０は、上フロート２１と下フロート２２とが形成した浮力を利用して、液面上下の浮きについて浮動する。浮動閉止装置２０は、液面が降下しているとき、閉止部品２３の閉止薄膜２３１により点滴筒１０の流出口１１１を封鎖する。つまり、浮動閉止装置２０は、自身の重力及び点滴筒１０の液面が降下する加速により、閉止部品２３の閉止薄膜２３１の底部を点滴筒１０の筒体１１の流出口１１１に嵌め合わせる。
【００２２】
閉止薄膜２３１の大きさと材質は、その全体が流出口１１１をカバーできるものであり、閉止薄膜２３１を確実に流出口１１１に密着できるものである。これにより、自動有効で、点滴液Ｌ及び空気を阻止し、回流現象を防止することができ、良好に液体の流出を阻止することができる。
【００２３】
本実施例は、閉止薄膜２３１の面積が、基本的に流出口１１１の切断面面積より大きく、例えばシリコン等の適当な弾力性の材料で構成されるため、良好に液体の流出を阻止することができる。下フロート２２の下フロート体２２１を介して点滴液が環状槽２２５上方の環状開口２２５０を通って流入すると、下フロート２２の重量が増加し、重量による圧力で、閉止部品２３が流出口１１１を密着して完全に液体の流出を阻止する。このため、更に有効に回血流を防止することができる。
【００２４】
点滴筒１０が力を受けて揺れる、または傾く状態となる場合、上フロート２１の上フロート体２１１を介して、浮動閉止装置２０全体の揺動程度を制限でき、いずれにしても閉止薄膜２３１により流出口１１１をカバーさせることができる。これにより、現有の装置が力を受けて揺れる、または傾く状態となる場合の欠点を、大幅に改善することができる。
【００２５】
また、図９に示すように、別の需要によって、点滴筒１０の気泡防止部品１３の下方で加薬部品８０を接続することができる。
【００２６】
（第２実施例）
浮動閉止装置の第２実施例を図１０、１１に示す。本実施例の浮動閉止装置２０Ａの構成要素は第１実施例と類似しているため、以下では、対応する構成要素に図１、２と同様の参照番号を付し、関連する説明を省略する。
【００２７】
浮動閉止装置２０Ａの閉止部品２３Ａは、同様にその頂端の接合凸部２３２Ａが接続部品２２２下方の開孔２２３に挿置されている。図１１に示すように、閉止部品２３Ａは、その下方に弓形薄膜の吸盤状に形成された閉止薄膜２３１Ａを有している。閉止部品２３Ａは閉止薄膜２３１Ａの上方へ延びる細長の延伸部を有し、当該延伸部の頂端に接合凸部２３２Ａが設けられている。
【００２８】
点滴筒１０中の液体が完全に消費される前に、点滴液の液面が降下すると、浮動閉止装置２０Ａは、閉止部品２３Ａの下方の閉止薄膜２３１Ａを注射液出口５１に嵌め合わせて、浮動閉止装置２０と同様な効果を達することができる。閉止部品２３Ａは、例えばシリコンのような軟質の材料で構成される。
【００２９】
上述のように、本考案の点滴装置は、その特有の構成により、確実に本考案の目的を達することができ、大幅に現有の製品の欠点を改善し、効果が奏されるものである。
以上、本考案は、上記実施例に限定されるものではなく、考案の趣旨を逸脱しない範囲において種々なる形態で実施できる。
【符号の説明】
【００３０】
１０      ・・・  点滴筒
１１１    ・・・  流出口
２０      ・・・  浮動閉止装置
２１      ・・・  上フロート
２１１    ・・・  上フロート体
２２      ・・・  下フロート
２２１    ・・・  下フロート体
２２２    ・・・  接続部品
２３      ・・・  閉止部品
２３１    ・・・  閉止薄膜
【図１】
0003163771.tif 000003
【図２】
0003163771.tif 000004
【図３】
0003163771.tif 000005
【図４】
0003163771.tif 000006
【図５】
0003163771.tif 000007
【図６】
0003163771.tif 000008
【図７】
0003163771.tif 000009
【図８】
0003163771.tif 000010
【図９】
0003163771.tif 000011
【図１０】
0003163771.tif 000012
【図１１】
0003163771.tif 000013